(57)【要約】    【課題】  軽量であって取り付けにおいてタッカー釘やステイプルを用いる必要がなく、両面粘着テープや接着剤を用いる場合もそれほど強い粘着力や接着力を要せず、簡便に使用し得、而も好適な通気性を実現し得る補助胴縁の提供。    【解決手段】  補助胴縁１０は、波形状をなすよう長手方向（図１における上下方向）に連続的に逆向きに曲がった形状をなす紙シート製の波形中芯１２の両側に、平板状シート材１４が接合されてなり、波形中芯１２の各頂部に紙製の平板状シート材１４が接着し、波形中芯１２と平板状シート材１４の間に短手方向の連通孔１６を多数満遍なく有するほぼ直方体状の細長形状をなす。【選択図】      図１
0003138346.tif 000002
【実用新案登録請求の範囲】
【請求項１】
建築物の躯体壁の外側に形成する外壁部を支持するために前記躯体壁の外側に配設する複数の胴縁同士の間の位置において、前記躯体壁の外側に取り付ける補助胴縁であって、
波形状をなすよう長手方向に連続的に逆向きに曲がった形状をなすシート状の波形中芯の両側に、平板状シート材が接合されてなり、
前記波形中芯の各頂部に前記平板状シート材が接着し、波形中芯と平板状シート材の間に短手方向の連通孔を多数満遍なく有する細長形状をなす補助胴縁。
【請求項２】
波形中芯を１層有し、その両側にそれぞれ平板状シート材が接合されてなる請求項１記載の補助胴縁。
【請求項３】
波形中芯を複数層有し、各波形中芯の両側にそれぞれ平板状シート材が接合されてなる請求項１記載の補助胴縁。
【請求項４】
両面粘着テープの一方の粘着面が、平板状シート材の外側面に貼着された請求項１、２又は３記載の補助胴縁。
【請求項５】
波形中芯及び平板状シート材が紙製である請求項１乃至４の何れか１項に記載の補助胴縁。
【考案の詳細な説明】
【技術分野】
【０００１】
本考案は、建築物の躯体壁の外側に形成する外壁部を支持するために前記躯体壁の外側に配設する複数の胴縁同士の間の位置において、前記躯体壁の外側に取り付ける補助胴縁に関する。
【背景技術】
【０００２】
特開２００２−２４２３２４号公報（特許文献１）には、建築物の躯体壁の外側に外壁部を形成することにより前記躯体壁と外壁部の間に通気層を設ける技術として、次のような技術が開示されている。
【０００３】
まず建築物の外壁に胴縁を固定し、補助胴縁を取り付けて通気層（間隔）を形成し、次に外通気ができるように防水紙及び鉄網、或いは防水紙付き鉄網を取付け、軽量セメントモルタルを塗着し、さらに壁面全体の表面又は内部、或いは壁面の一部の表面又は内部、例えば開口部周り等の弱点部などに網材を押圧して埋設した後、仕上げ施工する。すなわち、建築物の躯体壁外側に透湿防水シートを貼り付け、取付間隔が３００〜６００ｍｍ程度となるように胴縁を固定する。この胴縁は、壁面の構造強度が確保されるように取り付けられるが、その取付間隔が大きいほどその後に胴縁に固定する鉄網が内側方向へ撓み易くなる。そして、鉄網の外面に軽量セメントモルタルを塗着する際にも内側方向へ押圧力が作用して鉄網が撓むので、養生硬化前の亀裂等を防止するために、例えば１５〜１６ｍｍ程度で良いところを２５〜３０ｍｍもの厚みに塗着してしまう場合が生ずる。このような場合には、胴縁と胴縁の間に取付間隔が１５０〜３００ｍｍ程度となるように補助胴縁を取り付けるようにすると、鉄網の撓みが抑制され、鉄網の取付け作業も軽量セメントモルタルの塗着作業も何の困難もなく実施することができる。また、補助胴縁によって過大な撓みが抑制できるので、素材的に軟質の鉄網を適用することも可能となる。
【０００４】
このような補助胴縁は、木製或いはプラスチック製など特に材質を限定するものではない。例えば産業廃棄物となる廃プラスチックを原料とする成形体でも良く、この場合、公害等の環境問題にも寄与するものとなる。またその長さも胴縁のように長尺である必要がなく、例えば一本当たり３００〜３０００ｍｍ程度にして適宜間隔をあけて配設すれば、取扱いも容易で、作業も極めて簡易である。さらにその形状も角柱状でもどのような形状でも良い。例えばＩ型（Ｈ型）の成形体とすれば軽量で構造強度が高いものとなる。さらにこの場合、上下のフランジ間のウエブ部に貫通孔を穿設した補助胴縁とすれば、仮に施工完了後にこの補助胴縁の固定が外れて傾斜しても空気は貫通孔によって自在に流通することができるので、通気層を閉塞（部分的に空気の流れを遮断）することがない。また、この補助胴縁は、少なくとも軽量セメントモルタルの塗着作業が完了するまで、好適にはその養生硬化が行われるまで固定されるものであればどのような固定手段を採用しても良く、タッカー釘、ステイプル、両面粘着テープ、接着剤等の簡易手段（特に両面粘着テープが好ましい）により固定すれば、左官工程を増やすことなく、極めて容易に実施することができる。尚、鉄網は、通常胴縁に取り付けるが、この補助胴縁にも部分的に固定するようにしても良い。
【０００５】
特開２００２−２４２３２４号公報に開示されている補助胴縁の例又はその他の従来の補助胴縁の例は、何れも木製又はプラスチック製の角柱状、又はＩ型若しくはＨ型断面形状であるため、剛性や強度において比較的高いものである。従って重量が比較的重いため、そのような補助胴縁を躯体壁の外側に取り付けるには、タッカー釘やステイプルを用いるか、比較的大きな粘着強度や接着強度を有する両面粘着テープや接着剤を用いることが必要となり、補助胴縁が補助的に一時的に機能すれば足りるものであることからすれば、簡便さに欠ける点があり、あまり使用し易いとは言えなかった。
【特許文献１】特開２００２−２４２３２４号公報
【考案の開示】
【考案が解決しようとする課題】
【０００６】
本考案は、従来技術に存した上記のような課題に鑑み行われたものであって、その目的とするところは、軽量であって取り付けにおいてタッカー釘やステイプルを用いる必要がなく、両面粘着テープや接着剤を用いる場合もそれほど強い粘着力や接着力を要せず、簡便に使用し得、而も好適な通気性を実現し得る補助胴縁を提供することにある。
【課題を解決するための手段】
【０００７】
上記目的を達成する本考案の補助胴縁は、
建築物の躯体壁の外側に形成する外壁部を支持するために前記躯体壁の外側に配設する複数の胴縁同士の間の位置において、前記躯体壁の外側に取り付ける補助胴縁であって、
波形状をなすよう長手方向に連続的に逆向きに曲がった形状をなすシート状の波形中芯の両側に、平板状シート材が接合されてなり、
前記波形中芯の各頂部に前記平板状シート材が接着し、波形中芯と平板状シート材の間に短手方向の連通孔を多数満遍なく有する細長形状をなす。
【０００８】
建築物の躯体壁の外側に外壁部を形成することによりその躯体壁と外壁部の間に通気層を設ける場合、躯体壁と外壁部の間に間隔を維持しつつ外壁部を恒久的に支持するための胴縁を、躯体壁の外側に互いに間隔をおいて取り付ける。
【０００９】
躯体壁の外側における胴縁同士の間の位置には、補助胴縁を取り付ける。ラスやモルタル（若しくはその他の硬化性可塑材）等の外壁形成材料を用いて外壁部を形成する際に、外壁形成材料を胴縁による支持では、外壁形成材料の撓み等を防ぐ上で不十分である場合、形成される外壁部にクラックや剥落が生じたり意図しない形状が形成されるといった不都合が生じるおそれがある。そのため、胴縁同士の間の位置に補助胴縁を取り付け、少なくとも外壁部が形成されるまでこれらの補助胴縁により外壁部形成材料を支持することにより、前記のような不都合を防ぐものである。
【００１０】
補助胴縁は、波形状をなすよう長手方向に連続的に逆向きに曲がった形状をなすシート状の波形中芯の両側に、平板状シート材が接合されてなるものであるため、波形中芯の波高方向における両外側面はそれぞれ平板状シート材により構成される。従って、一方の平板状シート材を躯体壁の外側に両面粘着テープ等により補助胴縁を取り付けることにより、他方の平板状シート材の外側面により外壁部形成材料を少なくとも一時的に支持することとなる。補助胴縁は、シート状の波形中芯の両側に平板状シート材が接合されてなるものであるため、軽量であると共に波形中芯の波高方向における変形が十分に防がれる程度の剛性を備える。そのため、取り付けにおいてタッカー釘やステイプルを用いる必要がなく、両面粘着テープや接着剤を用いる場合もそれほど強い粘着力や接着力を要せず、簡便に使用し得、且つ、外壁部が形成されるまでの外壁部形成材料の変形を十分に防いで前記のような不都合を防ぎ得る。また、補助胴縁は、波形中芯の各頂部に平板状シート材が接着し、波形中芯と平板状シート材の間に短手方向の連通孔を多数満遍なく有する細長形状をなすので、外壁部形成時においても外壁部形成後においても、補助胴縁の短手方向に好適な通気性を実現し、躯体壁と外壁部の間に形成する通気層の機能を損なわない。
【考案の効果】
【００１１】
本考案の補助胴縁は、軽量であると共に波形中芯の波高方向における変形が十分に防がれるため、躯体壁の外側に対する取り付けも容易で簡便に使用し得、且つ、外壁部が形成されるまでの外壁部形成材料の変形を十分に防いで外壁部におけるクラックや剥落の発生等の不都合を防ぎ得る。また、本考案の補助胴縁は、短手方向の連通孔を多数満遍なく有する細長形状をなすので、躯体壁の外側に取り付けた状態において、補助胴縁の短手方向に好適な通気性を実現し、躯体壁と外壁部の間に形成する通気層の機能を損なわない。
【考案を実施するための最良の形態】
【００１２】
本考案の実施の形態を、図面を参照しつつ説明する。
【００１３】
図面は何れも本考案の実施の形態の一例についてのものであって、図１は補助胴縁の側面図、図２は補助胴縁の背面図、図３は建築物の要部水平断面図、図４は図３におけるIV-IV線断面図である。
【００１４】
補助胴縁１０は、波形状をなすよう長手方向（図１における上下方向）に連続的に逆向きに曲がった形状をなす紙シート製の波形中芯１２の両側に、平板状シート材１４が接合されてなり、波形中芯１２の各頂部に紙製の平板状シート材１４が接着し、波形中芯１２と平板状シート材１４の間に短手方向の連通孔１６を多数満遍なく有するほぼ直方体状の細長形状をなす。
【００１５】
波形中芯及び平板状シート材は、補助胴縁としての剛性を実現する上で、ある程度の硬さを有する可撓性材料であること、例えば紙製であることが好ましい。
【００１６】
波形中芯１２の波形は、波長に大きなばらつきがあるものよりも、なるべく長手方向に均等なものであることが望ましい。尤も、波形は、正弦波状のものであることを要するものではなく、例えば、本例のように、波形の頂部は、平板状シート材１４と接合することにより平坦状をなすものであってよい。
【００１７】
波形中芯１２の各頂部と平板状シート材１４の接着は、適宜選択し得る接着剤により行うことができる。
【００１８】
各連通孔１６は、補助胴縁１０を短手方向に貫通するものであり、これらの連通孔１６を多数満遍なく有することにより、短手方向に好適な通気性が実現される。
【００１９】
本例の補助胴縁１０は、平板状シート材１４を間に挟んだ状態で波形中芯１２を２層有し、各波形中芯１２の両側にそれぞれ平板状シート材１４が接合されてなる。波形中芯１２の波高方向（図１における水平方向）における両外側面はそれぞれ平板状シート材１４により構成される。なお、本発明の補助胴縁は、波形中芯を１層有し、その両側にそれぞれ平板状シート材が接合されてなるものでもよい。また、波形中芯を複数層（例えば２層、３層、若しくは４層、又はそれ以上）有し、各波形中芯の両側にそれぞれ平板状シート材が接合されてなるものでもよく、その場合、隣接する波形中芯同士の間にはそれぞれ平板状シート材を挟み、それらの波形中芯と平板状シート材が接合される。このような本考案の補助胴縁としては、段ボールを採用することができる。
【００２０】
補助胴縁１０の正面及び背面をそれぞれ構成する平板状シート材１４のうち一方の平板状シート材１４の外側面に、両面粘着テープ１８の一方の粘着面が貼着されており、その両面粘着テープ１８の他方の粘着面には離型紙が貼着されている。
【００２１】
図３及び図４に示すように、建築物の躯体壁２０の外側に、外壁部形成材料を構成するラス２２ａ及びモルタル２２ｂ等からなる外壁部２２を形成することによりその躯体壁２０と外壁部２２の間に通気層２４を設ける場合、躯体壁２０と外壁部２２の間に間隔を維持しつつ外壁部２２を恒久的に支持するための胴縁２６を、躯体壁２０の外側に互いに間隔をおいて取り付ける。
【００２２】
躯体壁２０の外側における胴縁２６同士の間の位置には、前記両面粘着テープ１８の離型紙を剥がし、補助胴縁１０の一方の平板状シート材１４を、前記両面粘着テープ１８の他方の粘着面により、躯体壁２０の外側に貼着して取り付ける。
【００２３】
補助胴縁１０は、紙シート製の波形中芯１２の両側に紙製の平板状シート材１４が接合されてなるものであるため、軽量であると共に波形中芯１２の波高方向における変形が十分に防がれる程度の剛性を備える。そのため、取り付けにおいてタッカー釘やステイプルを用いる必要がなく、両面粘着テープ１８や接着剤を用いる場合もそれほど強い粘着力や接着力を要せず、簡便に使用し得、且つ、外壁部２２が形成されるまでの外壁部形成材料の変形を十分に防ぎ得る。そのため、ラスやモルタル（若しくはその他の硬化性可塑材）等の外壁形成材料を用いて外壁部２２を形成する際に、形成される外壁部２２にクラックや剥落が生じたり意図しない形状が形成されるといった不都合が生じることを防ぎ得る。
【００２４】
また、補助胴縁１０は、波形中芯１２の各頂部に平板状シート材１４が接着し、波形中芯１２と平板状シート材１４の間に短手方向の連通孔１６を多数満遍なく有する細長形状をなすので、外壁部２２形成時においても外壁部２２形成後においても、補助胴縁１０の短手方向に好適な通気性を実現し、躯体壁２０と外壁部２２の間に形成する通気層２４の機能を損なわない。
【００２５】
なお、以上の実施の形態についての記述における上下位置関係は、単に図に基づいた説明の便宜のためのものであって、実際の使用状態等を限定するものではない。
【図面の簡単な説明】
【００２６】
【図１】補助胴縁の側面図である。
【図２】補助胴縁の背面図である。
【図３】建築物の要部水平断面図である。
【図４】図３におけるIV-IV線断面図である。
【符号の説明】
【００２７】
１０      補助胴縁
１２      波形中芯
１４      平板状シート材
１６      連通孔
１８      両面粘着テープ
２０      躯体壁
２２      外壁部
２２ａ    ラス
２２ｂ    モルタル
２４      通気層
２６      胴縁
【図１】
0003138346.tif 000003
【図２】
0003138346.tif 000004
【図３】
0003138346.tif 000005
【図４】
0003138346.tif 000006